(57)【特許請求の範囲】
【請求項１】
水質分析計から得た測定結果をディスプレイに表示する水質分析計用表示装置であって、
水質分析計における複数点校正の校正点数を選択するための校正点数選択信号を取得する選択信号取得部と、
選択された校正点数に対応する複数の校正液の測定結果を同一画面上に並べて又は重ねて表示する表示制御部とを備え、
前記表示制御部が、前記校正液の測定結果を、一方の軸が時間を示す時間軸で他方の軸が測定値を示す測定軸である座標系に時系列グラフとして表示するものであり、
前記複数の校正液の測定結果が、校正後における測定データが示す結果を含むことを特徴とする水質分析計用表示装置。
【請求項２】
同一画面上に表示される複数の時系列グラフにおいて、それらの測定軸における数値範囲の上限値と下限値との差が互いに同一である請求項１記載の水質分析計用表示装置。
【請求項３】
前記表示制御部が、前記校正液の測定結果の収束値が前記縦軸の中央値となるように前記縦軸の目盛を変更し、前記校正液の測定結果を時系列グラフとして表示する請求項１又は２記載の水質分析計用表示装置。
【請求項４】
水質分析計から得た測定結果をディスプレイに表示するための水質分析計用表示プログラムであって、
水質分析計における複数点校正の校正点数を選択するための校正点数選択信号を取得する選択信号取得部と、
選択された校正点数に対応する複数の校正液の測定結果を同一画面上に並べて又は重ねて表示する表示制御部との機能をコンピュータに備えさせ、
前記表示制御部が、前記校正液の測定結果を、一方の軸が時間を示す時間軸で他方の軸が測定値を示す測定軸である座標系に時系列グラフとして表示するものであり、
前記複数の校正液の測定結果が、校正後における測定データが示す結果を含むことを特徴とする水質分析計用表示プログラム。
【請求項５】
水質分析計と、この水質分析計から得た測定結果をディスプレイに表示する水質分析計用表示装置とを備える水質分析システムであって、
前記水質分析計用表示装置が、水質分析計における複数点校正の校正点数を選択するための校正点数選択信号を取得する選択信号取得部と、選択された校正点数に対応する複数の校正液の測定結果を同一画面上に並べて又は重ねて表示する表示制御部とを備え、
前記表示制御部が、前記校正液の測定結果を、一方の軸が時間を示す時間軸で他方の軸が測定値を示す測定軸である座標系に時系列グラフとして表示するものであり、
前記複数の校正液の測定結果が、校正後における測定データが示す結果を含むことを特徴とする水質分析システム。
【発明の詳細な説明】
【技術分野】
【０００１】
本発明は、水質分析計を校正する際に用いられる水質分析計用表示装置、水質分析計用表示プログラム及びこの水質分析計用表示装置を用いた水質分析システムに関するものである。
【背景技術】
【０００２】
ｐＨセンサなどの水質分析計を校正する場合には、ゼロ調整を行うための、例えば中性リン酸塩ｐＨ標準液（ｐＨ６．８６  ａｔ２５℃）を用いた１点校正や、この１点校正に加えて、スパン調整を行うための、測定液に近い他の標準液（例えばフタル酸塩ｐＨ標準液（ｐＨ４．０１  ａｔ２５℃）又はホウ酸塩ｐＨ標準液（ｐＨ９．１８  ａｔ２５℃））を用いた２点校正又は３点校正を行う。
【０００３】
そして従来では、本来の校正に加えて、その校正の結果から水質分析計の校正の確からしさや、水質分析計の寿命を予測することが行われている。また、校正時の測定結果（ｐＨ値）を、一方の軸が時間を示す時間軸で他方の軸が測定結果を示す測定軸である座標系に、時系列グラフ（いわゆるトレンドグラフ）として表示して、水質分析計の応答の度合いを認識することで、校正の確からしさや寿命を予測することも行われている。
【０００４】
しかしながら、２点校正又は３点校正において校正液の種類を変更した場合、現在のトレンドグラフが画面上から消えて、新たな校正液の校正結果のトレンドグラフが表示される。このため、２液目又は３液目で応答の度合いが遅いと感じたときに、１液目又は２液目の校正結果のトレンドグラフとの間で応答の度合いを比較したい場合には、それらのトレンドグラフを再表示させるという後戻り作業が必要になってしまう。また、複数点校正した場合に、校正済みの所定の校正液（例えば測定液に近い他の標準液）の校正結果を再確認したい場合にも、その校正結果のトレンドグラフを再表示させるという後戻り作業が必要となってしまう。
【先行技術文献】
【特許文献】
【０００５】
【特許文献１】特開平８−１９３９９０号公報
【発明の概要】
【発明が解決しようとする課題】
【０００６】
そこで本発明は、上記問題点を一挙に解決するためになされたものであり、複数点校正の校正点数に対応した複数の校正結果を同時に表示して、校正済みの校正結果を再表示させるための後戻り作業を不要にするとともに、校正液の違いによる応答の度合いを視覚的に判断し易くすることをその主たる所期課題とするものである。
【課題を解決するための手段】
【０００７】
すなわち本発明に係る水質分析計用表示装置は、水質分析計から得た測定結果をディスプレイに表示する水質分析計用表示装置であって、水質分析計における複数点校正の校正点数を選択するための校正点数選択信号を取得する選択信号取得部と、選択された校正点数に対応する複数の校正液の測定結果を同一画面上に並べて又は重ねて表示する表示制御部とを備えることを特徴とする。
【０００８】
このようなものであれば、ユーザにより選択された校正点数に対応して複数の校正液の測定結果を並べて又は重ねて同一画面上に表示するので、複数の校正液の校正結果を同時に確認することができる。これにより、校正済みの校正結果を再表示するための後戻り作業を不要とし、複数の校正液に対する水質分析計の反応の度合いを比較し易くすることができる。この結果、校正の確からしさや水質分析計の寿命を予測し易くなる他に、複数の校正結果を応答の度合いなどの違いから、水質分析計の洗浄不足による汚れの有無や劣化の度合い等の水質分析計の状態を具体的に判断できるようになる。
【０００９】
前記表示制御部が、一方の軸が時間を示す時間軸で他方の軸が測定結果を示す測定軸である座標系に、前記校正液の測定結果を時系列グラフとして表示することが望ましい。このように校正液の測定結果を時系列グラフとして表示することで、校正液の測定結果を応答曲線として視認することができ、その応答曲線の曲線形状を比較することで、汚れの有無や劣化の度合い等をより一層判断し易くすることができる。例えばｐＨセンサにおける２点校正の場合、１液目の校正液（ｐＨ６．９８）における応答速度と、２液目の校正液（ｐＨ４．０１）における応答速度とを比較して、１液目の応答速度に対して２液目の応答速度が遅い場合には、ｐＨセンサに酸性における応答を妨害する汚れがあることが分かる。なお、１つの校正液の応答曲線の曲線形状からでも水質分析計の汚れや故障などを判断することもできる。
【００１０】
複数の校正液の測定結果を時系列グラフとして表示して比較する際にその曲線形状の曲がり具合が大きな判断要素となる。このため、同一画面上に表示される複数の時系列グラフにおいて、それらの測定軸における数値範囲の上限値と下限値との差が互いに略同一であることが望ましい。このように数値範囲の上限値と下限値との差（分解能）を略同一にしていることにより、各校正液の測定結果の曲線形状をそのまま比較することができ、比較判断を行い易くすることができる。
【００１１】
前記表示制御部が、前記校正液の測定結果の収束値又はその近傍の値が前記縦軸の中央値となるように前記縦軸の目盛を変更し、前記校正液の測定結果を時系列グラフとして表示することが望ましい。このように、複数の測定結果の時系列グラフが縦軸の中央値を通る中心軸を基準として表示されることになり、複数の時系列グラフの曲線形状を比較判断し易くなる。特に、表示制御部が、複数の校正液の時系列グラフを同一画面上に左右方向に並べて表示する場合には、各時系列グラフの縦軸の中央値が同一直線上となるように表示することが比較判断の上で最も好ましい。
【００１２】
また本発明に係る水質分析用表示プログラムは、水質分析計から得た測定結果をディスプレイに表示するための水質分析計用表示プログラムであって、水質分析計における複数点校正の校正点数を選択するための校正点数選択信号を取得する選択信号取得部と、選択された校正点数に対応する複数の校正液の測定結果を同一画面上に並べて又は重ねて表示する表示制御部との機能をコンピュータに備えさせることを特徴とする。
【発明の効果】
【００１３】
このように構成した本発明によれば、複数点校正の校正点数に対応した複数の校正結果を同時に表示して、校正済みの校正結果を再表示するための後戻り作業を不要にするとともに、校正液の違いによる応答の度合いを視覚的に判断し易くすることができる。
【図面の簡単な説明】
【００１４】
【図１】本発明の一実施形態に係る水質分析システムの模式的構成図。
【図２】同実施形態の指示変換器の（Ａ）機器構成図及び（Ｂ）機能構成図。
【図３】同実施形態の管理装置の（Ａ）機器構成図及び（Ｂ）機能構成図。
【図４】同実施形態のデジタル形式の測定値表示装置の画面図。
【図５】同実施形態のグラフ形式の測定値表示装置の画面図。
【図６】同実施形態の運転割合一覧表示画面の画面図。
【図７】同実施形態の校正開始画面の画面図。
【図８】同実施形態の校正終了画面の画面図。
【図９】同実施形態の校正履歴画面の画面図。
【図１０】同実施形態のエラー一覧画面の画面図。
【図１１】同実施形態のエラー詳細画面の画面図。
【発明を実施するための形態】
【００１５】
以下に本発明に係る水質分析システムの一実施形態について図面を参照して説明する。
【００１６】
本実施形態に係る水質分析システム１００は、例えば水処理施設等のプロセス現場において現場各所の水質を分析してプロセス制御するためのものであり、図１に示すように、現場各所それぞれに設けられた複数の水質分析計２と、計器室等のデータセンタ室に設けられて、前記複数の水質分析計２の測定結果を取得してディスプレイ上に表示するとともにプロセス制御を行う中央制御装置５とを備えている。
【００１７】
そして水質分析計２は、現場各所の測定液中に浸漬して設けられるセンサ機器３と、当該センサ機器３に対応して設けられ、センサ機器３より得られた測定結果を表示するディスプレイを有するとともに、その測定結果やその他の水質分析計からの信号を前記中央制御装置５に伝送する指示変換器４とを有する。なおセンサ機器３と指示変換器４とは信号ケーブルにより接続されている。
【００１８】
センサ機器３は、ｐＨ、酸化還元電位（ＯＲＰ）、溶存酸素（ＤＯ）、電気伝導率（導電率）、温度、濁度、水深、あるいはそれらの測定項目から換算して得られる測定項目の少なくとも１つを測定するものである。例えばｐＨ、ＯＲＰ及びＤＯを測定するものの場合には、センサ機器３は、ｐＨセンサ、ＯＲＰセンサ及びＤＯセンサを有する。
【００１９】
指示変換器４は、センサ機器３から得られる測定結果（例えばｐＨ及び温度など）を指示変換器前面に設けられたディスプレイに表示するものである。また、指示変換器４は、例えばＲＳ−４８５等のシリアル通信用ケーブルが接続されており、前記測定結果を示す測定データやセンサ機器３から得られるその他の信号等を例えばＤＣ４〜２０ｍＡに変換して中央制御装置５に伝送出力するものである。
【００２０】
中央制御装置５は、ＣＰＵ、メモリ、変換器、入出力インタフェース及び変換器を有する専用乃至汎用のコンピュータであり、ＣＰＵが前記メモリの所定領域に格納された制御プログラムに従って動作することで、前記各手段の制御や情報処理を行い、指示変換器４から伝送された測定データを演算処理してディスプレイ上に表示する機能とともに、その測定データが異常である判断した場合に警報する機能などを有する。この中央制御装置５により、複数の水質分析計２により得られる測定データが一括管理されることで、処理施設等のプロセス現場全体が監視・制御される。
【００２１】
しかして本実施形態の水質分析計２の指示変換器４は、図２（Ａ）に示すように、ＣＰＵ４０１、メモリ４０２、変換器４０３、入出力インタフェース４０４、ディスプレイ４０５及び無線通信機器４０６等を有する専用乃至汎用のコンピュータであり、ＣＰＵ４０１がメモリ４０２の所定領域に格納された水質分析計用プログラムに従って動作することで前記各手段の制御や情報処理を行い、図２（Ｂ）に示すように、運転時間累計部４１、総運転時間累計部４２、運転割合算出部４３、データ格納部４４及びデータ出力部４５としての機能を発揮する。なお、本実施形態の指示変換器４は、メッシュ型マルチポップ通信が可能な無線通信機器４０６を有するものであり、本実施形態では、周波数帯域が２．４ＧＨｚ帯であり、送信出力が１０ｍＷ以下の２．４ＧＨｚ帯無線送受信機である。そして各指示変換器４が後述する水質分析計用管理装置６に対して他の指示変換器４の中継局として機能するように構成している。このように本実施形態の指示変換器４は、センサ機器３の測定データを中央制御装置５に送信するとともに、センサ機器３の測定データ及びセンサ管理用データ（例えば後述の運転割合データ等）を水質分析用管理装置６に送信するように構成されている。
【００２２】
運転時間累計部４１は、センサ機器３の使用状況を測定結果の範囲により分類してなる複数の分類範囲毎に、その運転時間を累計するものである。ここで、複数の分類範囲としては、センサ機器３の測定結果を複数の濃度範囲に分割して分類したものであり、センサ機器３がｐＨセンサの場合には、「ｐＨ２．０未満」、「ｐＨ２．０〜５．５」、「ｐＨ５．５〜７．０」、「ｐＨ７．０〜８．５」、「ｐＨ８．５〜１２」、「ｐＨ１２以上」等である。その他、ｐＨ以外の測定項目を複数の数値範囲に分割して分類したものとすることができる。また使用温度範囲を例えば「０〜１０℃」、「１０〜２０℃」、「２０〜３０℃」等のように複数の温度範囲に分割して分類することも考えられる。このように運転時間の累計対象であるセンサ機器３自体の測定結果を用いて分類しても良いし、運転時間の累計対象以外のセンサ機器の測定結果を用いて分類しても良い。
【００２３】
また、運転時間累計部４１は、例えば５秒以上の一定時間安定している数値がいずれの分類範囲に属するかを判断し、その数値の安定している時間（安定時間）を当該数値の属する分類範囲の運転時間として累計する。その他、安定時間に加えて数値が安定するまでの時間（変動時間）を合わせた時間としても良い。そして、運転時間累計部４１が累計した分類範囲毎の運転時間を示す運転時間データは、運転割合算出部４３に出力される。また運転時間データは、メモリ４０２に設定された所定領域、例えばデータ格納部４４に格納される。
【００２４】
総運転時間累計部４２は、水質分析計２のセンサ機器３が運転を開始してからの総運転時間を累計する。そして、総運転時間累計部４２が累計した総運転時間を示す総運転時間データは、運転割合算出部４３に出力される。また、総運転時間データは、メモリ４０２に設定された所定領域、例えばデータ格納部４４に格納される。
【００２５】
運転割合算出部４３は、水質分析計２の総運転時間に対する分類範囲毎の運転時間の運転割合を算出するものである。具体的に運転割合算出部４３は、総運転時間を示す総運転時間データを取得するとともに、分類範囲毎の運転時間を示す運転時間データを取得して、分類範囲毎の運転割合（％）を算出する。この分類範囲毎の運転割合を示す運転割合データは、メモリ４０２の所定領域に設定されたデータ格納部４４に格納される。
【００２６】
そして、指示変換器４の無線送信機４０６等から構成されるデータ出力部４５は、後述の水質分析計用管理装置６からの要求を受け付けた場合に、データ格納部４４に格納された運転割合データを水質分析計用管理装置６に無線送信する。なお、運転割合算出部４３は、水質分析計用管理装置６からの要求を受け付けたことをトリガとして運転割合を算出するようにしても良いし、常時運転割合を算出するようにしても良いし、定期的に運転割合を算出するようにしても良い。また、データ出力部４５は、データ格納部４４に格納された運転時間データや総運転時間データを水質分析計用管理装置６に出力することもできる。
【００２７】
そして、本実施形態の水質分析システム１００は、図１に示すように、複数の水質分析計２を管理するための水質分析計用管理装置６を備えている。
【００２８】
この水質分析計用管理装置６は、センサ機器３のメンテナンスなどの各種操作を行うための例えば携帯型コンピュータ等の携帯端末であり、各センサ機器３に接続された指示変換器４と無線通信するものである。なお、この水質分析計用管理装置６が、水質分析計２から得た測定結果をディスプレイに表示する水質分析計用表示装置として機能する。
【００２９】
水質分析計用管理装置６の具体的な機器構成は、図３（Ａ）に示すように、ＣＰＵ６０１、メモリ６０２、変換器６０３、入出力インタフェース６０４、ディスプレイ６０５、無線通信機器６０６及び入力手段６０７等を有する専用乃至汎用のコンピュータである。そして、ＣＰＵ６０１がメモリ６０２の所定領域に格納された水質分析計用管理プログラムに従って動作することで前記各手段の制御や情報処理を行い、図３（Ｂ）に示すように、測定データを含む種々のデータを受信するデータ受信部６１、受信した測定データ及び種々のデータを格納するデータ格納部６２、複数点校正の校正点数を選択するための校正点数選択信号を取得する選択信号取得部６３、及び、受信した測定データ及び種々のデータをディスプレイ６０５上に表示する表示制御部６４としての機能を発揮する。
【００３０】
そして、水質分析計用管理装置６は、データ収集機能およびメンテナンス機能を有する。以下、各機能について説明するとともに、データ取得部６１、データ格納部６２、選択信号取得部６３及び表示制御部６４の各機能について説明する。
【００３１】
まず水質分析計用管理装置６のデータ収集機能について説明する。
【００３２】
水質分析液用管理装置６のデータ取得部６１は、各水質分析計２の測定結果を示す測定データを受信するとともに、各水質分析計２の設定値を示す設定データを受信する。そして、この受信された測定データ及び設定データは、データ格納部６２に格納される。なお、水質分析計用管理装置６が設置データを取得することで、特定の水質分析計２の設定を他の水質分析計２に応用できるようにしている。
【００３３】
また、表示制御部６４は、受信した測定データに基づいて、図４に示すデジタル形式の測定値表示画面Ｗ１と、図５に示すグラフ形式の測定値表示画面Ｗ２とを選択的にディスプレイ６０５上に表示する。グラフ形式の測定値表示画面Ｗ２は、一方の軸が時間を示す時間軸で他方の軸が測定結果を示す測定軸である座標系に、測定データを時系列グラフ（いわゆるトレンドグラフ）として表示するグラフ表示領域Ｗ２１を有する。このグラフ表示領域Ｗ２１には、複数の水質分析計２の複数の測定データが同時に重ねてグラフ表示される。このとき、複数の時系列グラフは、その線の色が互いに異なるように表示される。
【００３４】
ここで、表示制御部６４は、ユーザの入力操作に伴ってそれらグラフの色を変更するように構成されている。例えば、ユーザが所定のボタンを操作することで、表示されるグラフの色が必ず新しい色となるようにする。グラフ表示領域に常時３つの時系列グラフを表示するものにおいては５色で対応することが考えられる。
【００３５】
さらに、表示制御部６４は、グラフ表示領域Ｗ２１の周辺（図５では上部）に、グラフ表示している時系列グラフに対応する水質分析計２の最新の測定値及び温度を表示するとともに、水質分析計２の状態を表示する。図５においては、３つの水質分析計２のうち２つがエラー又は通信不可であることを表示しており、グラフ表示領域Ｗ２１には１つのグラフしか表示されていない。
【００３６】
また水質分析計用管理装置６は、複数の水質分析計２（センサ機器３）の稼働状態（運転状態）を取得できるように構成されている。本実施形態の水質分析計２は上述した通り、複数の分類範囲毎にその運転割合を示す運転割合データを持っていることから、データ取得部６１は、各水質分析計２の無線送信機４０６（データ出力部４５）から無線送信される時間割合データを受信する。
【００３７】
そして、表示制御部６４は、データ受信部６１で受信した時間割合データに基づいて、図６に示す運転割合一覧表示画面Ｗ３を表示する。
【００３８】
この運転割合一覧表示画面Ｗ３は、複数のセンサ機器３それぞれについて複数の分類範囲毎の運転割合が一覧表示されるものであり、具体的には、行方向（縦方向）に各センサ機器３の種類を表示するとともに、列方向（横方向）に各分類範囲の運転割合（％）を表示する。また、表示制御部６４は、複数の分類範囲の運転割合とともに、各センサ機器３の総運転時間も一覧表示する。その他、表示制御部６４は、各センサ機器３から得られたデータから、各センサ機器３の最大測定値、最小測定値、平均測定値、使用最高温度、使用最低温度、使用平均温度等も一覧表示する。
【００３９】
なお、図６においては、ディスプレイ６０５上に全ての情報を表示できない態様を示しており、表示制御部６４は、スクロールバーＷ３１を表示して、ユーザの入力操作によって表示画面Ｗ３をスクロールできるように構成している。また、表示制御部６４は、運転割合一覧表示画面Ｗ３において、所定のセンサ機器３を検索するための検索ボタン、検索解除ボタン、センサ機器３を並べ替えるための並べ替えボタン、並べ替え解除ボタンを表示する。
【００４０】
その他、データ取得部６１は、指示変換器４から計器モード、エラー、接点出力状態、伝送出力、外部入力等を受信する。このように水質分析計用管理装置６は、水質分析計２の計器状態を一元管理するものであり、通信接続中の測定データや水質分析計２の稼働状態を時系列で記録（ロギング）する機能を有する。
【００４１】
次に、水質分析計用管理装置６のメンテナンス機能について説明する。
【００４２】
水質分析計用管理装置６の選択信号取得部６３は、センサ機器３における複数点校正（１点校正、２点校正、３点校正）の校正点数（１点、２点、３点）を選択するための校正点数選択信号を取得する。そして、この取得された校正点数選択信号に基づいて、表示制御部６４は、選択された校正点数に対応する複数の校正液の測定結果を同一画面上に並べて表示する。
【００４３】
選択信号取得部６３は、校正者等のユーザが管理装置６の入力手段６０７を操作することにより生成された校正点数選択信号を取得する。ここで校正点数は、校正を行うべきセンサ機器３の種類や用途等によって決定されるものであり、例えばＤＯセンサのゼロ調整及びスパン調整の両方を行う場合、又はｐＨセンサにおいてｐＨ４、ｐＨ７又はｐＨ９等で調整を行う場合には、２点校正又は３点校正が選択される。
【００４４】
そして、表示制御部６４は、図７に示すように、選択された校正点数に対応する数のグラフ表示領域Ｗ４１を有する校正開始画面Ｗ４をディスプレイ６０５上に表示する。
【００４５】
図７においては、２点校正において２つのグラフ表示領域Ｗ４１（１液用のグラフ表示領域及び２液用のグラフ表示領域）を左右方向に並べて表示した場合を示している。１つのグラフ表示領域Ｗ４１には１つのグラフが表示される。なお、図示しないが、１点校正が選択された場合には、１つのグラフ表示領域Ｗ４１を表示し、３点校正が選択された場合には、３つのグラフ表示領域Ｗ４１を左右方向に並べて表示する。また、校正開始画面Ｗ４には、校正の状態（「ｐＨ７液を準備してください。」）、感度（ｍＶ／ｐＨ）、不斉電位（ｍＶ）及び校正開始ボタンが表示される。この状態で、センサ機器３の校正が行われる。
【００４６】
図８に校正終了後の校正終了画面Ｗ５を示す。この校正終了画面Ｗ５には、２点校正における２つの校正液の測定結果が並んで表示されるとともに、校正の状態（「校正終了」）、感度（ｍＶ／ｐＨ）及び不斉電位（ｍＶ）が表示される。この感度及び不斉電位としては、２点校正の結果、管理装置６により演算された値が表示される。
【００４７】
ここで、表示制御部６４は、グラフ表示領域Ｗ４１において、校正液の測定結果を、一方の軸（横軸）が時間を示す時間軸で他方の軸（縦軸）が測定結果を示す測定軸である座標系に時系列グラフとして表示する。複数のグラフ表示領域Ｗ４１を表示する場合には、各グラフ表示領域Ｗ４１が、略同一サイズであり、測定軸における数値範囲の上限値と下限値との差、つまり測定軸の分解能が互いに略同一としている。このようにグラフ表示領域Ｗ４１を略同一サイズ且つ分解能を略同一としているので、各校正液の測定結果の曲線形状をそのまま比較することができ、各校正液の測定における応答スピード等を比較し易くすることができる。
【００４８】
さらに、表示制御部６４は、図８に示すように、校正液の測定結果の収束値又はその近傍の値が、測定軸の中央値となるように測定軸の目盛を変更し、校正液の測定結果を時系列グラフとして表示する。なお、目盛の変更の度合いは例えば０．２ずつとしている。ここで、複数の時系列グラフは、左右方向に並べて表示されていることから、各時系列グラフの測定軸の中央値は、表示画面上において略同一直線上となるように表示されることになる。図８においては、１液目のグラフ表示領域Ｗ４１の測定軸の中央値が７．０となっており、２液目のグラフ表示領域Ｗ４１の測定軸の中央値の４．０となっており、これら中央値の高さ位置が同じとなっている。このように構成することで、１液目の時系列グラフ及び２液目の時系列グラフの応答曲線形状を比較することが容易となる。
【００４９】
校正後の測定結果を時系列グラフとして表示する場合には、その収束値又はその近傍の値が測定軸の中央値となるようにしているが、校正中の測定結果を時系列グラフに表示する場合には、センサ機器３から出力された測定値又はその近傍の値が測定軸の中央値となるように縦軸の目盛を変更する。つまり校正中に得られた最新の測定値又はその近傍の値が常に測定軸の中央値となる。
【００５０】
また表示制御部６４は、図９に示すように、校正履歴画面Ｗ６を表示する。この校正履歴画面Ｗ６は、過去の校正データを表示するものであり、校正履歴データ表示画面（不図示）と校正履歴グラフ表示画面Ｗ６１とを切り替え表示可能なものである。センサ機器３がｐＨセンサの場合には、校正履歴データ表示画面は不斉電位及び感度の数値を一覧表示するものであり、校正履歴グラフ表示画面Ｗ６１は不斉電位及び感度をグラフ表示するものである。なお、このグラフは、横軸が以前の校正回数を示し縦軸が不斉電位又は感度を示すグラフである。
【００５１】
ここで、校正履歴画面Ｗ６の校正履歴グラフ表示画面Ｗ６１において、縦軸の数値範囲は、ｐＨセンサの校正における許容範囲内の感度又は不斉電位としている。つまり、このグラフ上に表示されない校正結果は許容範囲を超えているということになる。なお、図９における感度の校正許容範囲は４０ｍＶ／ｐＨ〜８０ｍＶ／ｐＨである。そして、この校正許容範囲内において、さらにユーザが予め設定した独自のエラー許容範囲（センサ機器３の交換条件の目安となる閾値など）を表示することもできる。例えば、感度においては、エラー許容範囲を５０ｍＶ／ｐＨ〜７０ｍＶ／ｐＨとすること等である。校正の結果、このエラー許容範囲内ではなくたったものについては、新しいセンサ機器３と交換する等の判断を行うことができる。その他、表示制御部６４は、各センサ機器３を校正した周期である校正周期、各センサ機器３を交換した履歴である交換履歴及び各センサ機器３を交換すべき期間等を知らせるセンサ交換推奨情報についても表示する。また、表示制御部６４は、校正に関する過去の校正グラフも重ねて表示し、過去のデータと比較することができる。
【００５２】
また、表示制御部６４は、図１０に示すエラー一覧画面Ｗ７を表示する。このエラー一覧画面Ｗ７は、水質分析計２に生じているエラーを全て一覧表示するものであり、且つ、エラー内容の優先度の高い順に順番に表示する。図１０では上から順に表示した場合を示している。ここで優先度が高いエラーとは、このエラーに対応すれば、他のエラーが解決される又は解決し易くなるものである。このように優先度の高い順に表示することで、上から対応すれば効率の良いエラー対応が可能となる。具体的な一覧表示内容としては、エラーコード及びそのエラー名を一覧表示する。なお、エラーコード及びエラー名並びに優先度を示すデータは予めデータ格納部６２に格納されている。
【００５３】
そして、ユーザが優先度の高いエラー（図１０においてＥ−２１／温度センサ断線）を選択した場合には、表示制御部６４は、図１１に示すエラー詳細画面Ｗ８を表示する。このエラー詳細画面Ｗ８は、エラー原因の候補、そのエラー原因を解消するための処置内容及び必要に応じて処置における条件内容も表示している。なお、これらの処置内容及び条件内容を示すデータは、予めデータ格納部６２に格納されている。その他、表示制御部６４は、過去のエラー履歴を表示することもできる。
【００５４】
次に２つのセンサ機器３を交換する場合のデータ管理方法について説明する。
【００５５】
本実施形態では、指示変換器４に測定データを蓄積することができないため、水質分析計用管理装置６と水質分析計２の通信接続中に測定データを蓄積させることで、センサ機器３のメンテナンス及び管理を行っている。ここで、センサ機器Ａとセンサ機器Ｂとを交換した場合、指示変換器４と管理装置６との通信接続状態により測定データと実際のセンサ機器Ｂとは異なるセンサ機器Ａの測定データとして取得してしまい、データを損失することになる。そこで、データの損失を最小限に抑えるために以下の（１）〜（３）の場合でデータ管理方法が異なる。
【００５６】
（１）指示変換器４が管理装置６と通信接続されている状態で、指示変換器４のセンサ機器Ａとセンサ機器Ｂとを交換する場合
（２）指示変換器４のセンサ機器Ａとセンサ機器Ｂとを交換した後に、管理装置６の設定上でセンサ機器Ａとセンサ機器Ｂとを交換し、指示変換器４を管理装置６と通信接続した場合
（３）管理装置６の設定上でセンサ機器Ａとセンサ機器Ｂとを交換した後に、指示変換器４のセンサ機器Ａ及びセンサ機器Ｂとを交換し、指示変換器４を管理装置６と通信接続した場合
【００５７】
上記（１）の場合には、指示変換器４のセンサ機器Ａのデータを管理装置６に保存し、管理装置６に入力されたセンサ機器Ｂのデータを指示変換器４に書き込む。
【００５８】
上記（２）の場合には、管理装置６を通信接続するまでは、指示変換器４のセンサ機器Ａのデータにセンサ機器Ｂのデータを指示変換器４に蓄積する。そして、管理装置６を通信接続した時に、センサ機器Ａの過去履歴として管理装置６に保存し、管理装置６に入力されたセンサ機器Ｂのデータを指示変換器４に書き込む。
【００５９】
上記（３）の場合には、実際に指示変換器４に接続されたセンサ機器Ａとセンサ機器Ｂとを交換する前に、管理装置６の設定上のセンサ機器Ｂと指示変換器４に接続されたセンサ機器Ａとが異なるため、実際にセンサ機器Ａとセンサ機器Ｂとを交換するまで、センサ機器Ｂのデータをセンサ機器Ａのものとして指示変換器４に蓄積する。管理装置６を通信接続した時に、センサ機器Ａの過去履歴として管理装置６に保存し、指示変換器４にはセンサ機器Ｂのデータを書き込む。
【００６０】
このように構成した水質分析システム１００によれば、ユーザにより選択された校正点数に対応して複数の校正液の測定結果を並べて同一画面上に表示するので、複数の校正液の測定結果を同時に確認することができる。これにより、校正済みの校正結果を再表示するための後戻り作業を不要とし、複数の校正液に対する水質分析計２の反応の度合いを比較し易くすることができる。この結果、校正の確からしさや水質分析計２の寿命を予測し易くなる他に、複数の校正結果を応答の度合いなどの違いから、水質分析計２の洗浄不足による汚れの有無や劣化の度合い等の水質分析計２の状態を具体的に判断できるようになる。また、ユーザにより入力された校正点数選択信号により、校正開始時に画面上に表示するグラフ表示領域の数を校正点数の数としていることから、２点校正すべきところを１点校正しかしないといった校正漏れを防ぐこともできる。
【００６１】
なお、本発明は前記実施形態に限られるものではない。
【００６２】
例えば、前記実施形態では、同一画面上に複数の測定結果を並べて表示するものであったが、１つのグラフ表示領域に複数の校正液の測定結果を表示するように構成しても良い。このようなものであっても、同一画面上に複数の校正液の測定結果が表示されることになり、複数の校正液の校正結果を同時に確認することができる。これにより、校正済みの校正結果を再表示するための後戻り作業を不要とし、複数の校正液に対する水質分析計２の反応の度合いを比較し易くすることができる。その他、複数のグラフ表示領域を上下に表示するようにしても良い。
【００６３】
また、前記実施形態では、指示変換器４が無線通信により水質分析計用管理装置６に測定データやセンサ情報データ等のデータを伝送するものであったが、通信ケーブルによりそれらのデータを伝送するように構成しても良い。
【００６４】
さらに、前記実施形態の管理装置６は、現場各所に設けられた水質分析計２（センサ機器３）のグループ設定を行うことができ、グループ毎に管理を行うことを可能としても良い。この場合、例えば、表示制御部が、運転割合一覧表示画面において、グループ毎に、そのグループに含まれる水質分析計２（センサ機器３）の運転割合を一覧表示することが考えられる。
【００６５】
その上、管理装置６は、現場各所に設けられた水質分析計２（センサ機器３）の帳簿管理が可能としても良い。この場合、管理装置６には月報等の管理帳簿を示す帳簿データが格納されており、この帳簿データに基づいて表示制御部６４が画面上に管理帳簿を表示する。この管理帳簿を用いてユーザは入力操作を行うことによって現場各所の水質分析計２（センサ機器３）の管理を行う。なお、管理装置６の帳簿管理機能を用いて、管理装置６が当初予定している水質分析計２（例えば自社製品の水質分析計２）を管理する他、当初予定していない管理外の分析計（例えば流量計、圧力計又は他社製品の水質分析計）を、それら分析計のセンサ情報を手入力で入力することにより、それらセンサ情報を画面上に表示しても良い。また、それらを管理する管理帳簿を表示して管理するようにしても良い。
【００６６】
加えて、管理装置６は、各機種の取り扱い説明書を示す説明書データ、各機種のトラブルシューティング（Ｑ＆Ａ）を示すトラブルシューティングデータ、各機種のメンテナンスガイドを示すメンテナンスデータ等を格納しており、ユーザの選択によってこれらの表示画面をディスプレイ上に表示する。表示制御部６４は、その他、前記実施形態の各種機能を行うためのメニュー選択画面を表示する。このメニュー選択画面により選択されたメニューに従って表示制御部６４は、各種画面表示を行う。
【００６７】
また、前記実施形態では、水質分析計２が運転割合算出部４３を有するものであったが、管理装置６が運転割合算出部を有するものであっても良い。この場合、管理装置のデータ取得部６１が水質分析計２のデータ出力部４５から運転時間データ及び総運転時間データを取得して、それら取得したデータを用いて運転割合算出部が、センサ機器の総運転時間に対する分類範囲毎の運転時間の割合を算出する。
【００６８】
加えて、前記実施形態では、水質分析計用管理装置６が水質分析計用表示装置を兼ねるものであったが、水質分析計用表示装置を別に設けても良い。
【００６９】
また、前記実施形態の水質分析計は、指示変換器に信号ケーブルを介してセンサ機器を接続して構成されるものであったが、センサ機器及び指示変換器が信号ケーブルを介することなく物理的に一体構成であっても良い。
【００７０】
その他、本発明は前記実施形態に限られず、その趣旨を逸脱しない範囲で種々の変形が可能であるのは言うまでもない。
【符号の説明】
【００７１】
１００・・・水質分析システム
２・・・水質分析計
３・・・センサ機器
４・・・指示変換器
６・・・水質分析計用管理装置
６３・・・選択信号取得部
６４・・・表示制御部
【図１】
0005841766.tif 000002
【図２】
0005841766.tif 000003
【図３】
0005841766.tif 000004
【図４】
0005841766.tif 000005
【図５】
0005841766.tif 000006
【図６】
0005841766.tif 000007
【図７】
0005841766.tif 000008
【図８】
0005841766.tif 000009
【図９】
0005841766.tif 000010
【図１０】
0005841766.tif 000011
【図１１】
0005841766.tif 000012